(57)【要約】図に示されるように、最初に５枚のカード（１８、２０、２２、２４、および２６）がプレイヤーに向けて表を下にして表示される。５枚のカードの上には、頭に「３  ＣＡＲＤ  ＬＥＦＴ」を書かれた第１のカラム（２８）、頭に「３  ＣＡＲＤ  ＲＩＧＨＴ」と書かれた右のカラム（３０）がある。中央のカラム（３２）は、頭に記載を有しないが、左右のカラム（２８、３０）の間の位置にあることによって識別される。全３つのカラム（２８、３０、および３２）は、５枚のカードのドローポーカーの通常の手のカードの様々な組み合わせに関連する支払いを表示する。中央のカラム３２の５枚のカードの組み合わせに対するベットへの支払いは、左右のカラム２８、３０よりもより可能性の高い組み合わせを含む。なぜなら、中央のカラム３２は、５枚のカードを評価し、かつ左右のカラム２８、３０は、３枚のカードのみを評価するからである。【選択図】図３
2005501620.tif 000002
【特許請求の範囲】
【請求項１】
カードゲームプレイの方法であって、該カードゲームはプレイのルールを有し、
５枚のカードをプレイヤーに分配するステップと、
該プレイのルールに従って、該５枚のカードを５枚のカードの手として、さらに４枚のカードの手として評価するステップと
を包含する、方法。
【請求項２】
カードゲームプレイの方法であって、該カードゲームはプレイのルールを有し、該方法は、
５枚のカードをプレイヤーに分配するステップと、
該プレイのルールに従って、該５枚のカードを５枚のカードの手として、さらに３枚のカードの手として評価するステップと
を包含する、方法。
【請求項３】
カードゲームプレイの方法であって、該カードゲームはプレイのルールを有し、該方法は、
５枚のカードをプレイヤーに分配するステップと、
該プレイのルールに従って、該５枚のカードを５枚のカードの手として、さらに３枚のカードの手および４枚のカードの手として評価するステップと
を包含する、方法。
【請求項４】
カードゲームプレイの方法であって、該カードゲームはプレイのルールを有し、該方法は、
５枚のカードをプレイヤーに分配するステップと、
該プレイのルールに従って、該５枚のカードを５枚のカードの手として、さらに少なくとも２つの３枚のカードの手として評価するステップと
を包含する、方法。
【請求項５】
カードゲームプレイの方法であって、該カードゲームはプレイのルールを有し、該方法は、
少なくとも４枚のカードの手をプレイヤーに分配するステップと、
該プレイのルールに従って、該少なくとも４枚のカードを４枚のカードの手として、さらに該プレイヤーに分配された少なくとも４枚のカードよりも少ないカードを有する少なくとも１枚の追加のカードの手として評価するステップと
を包含する、方法。
【請求項６】
前記方法は、コンピュータによって実装される、請求項５に記載の方法。
【請求項７】
カードゲームプレイの方法であって、該カードゲームはプレイのルールを有し、該方法は、
最初の５枚のカードの手をプレイヤーに分配するステップと、
該プレイヤーによって捨てられる任意のカードを交換するステップと、
該プレイのルールに従って、該５枚のカードを５枚のカードの手として評価し、さら該５枚のカードの手の所定の３枚のカードおよび４枚のカードの下位の組み合わせをそれぞれ３枚のカードの手および４枚のカードの手として評価するステップと
を包含する、方法。
【請求項８】
前記方法は、コンピュータによって実装される、請求項７に記載の方法。
【請求項９】
カードゲームプレイの方法であって、該カードゲームはプレイのルールを有し、該方法は、
少なくとも５枚のカードを受け取るステップと、
該プレイのルールに従って、該少なくとも５枚のカードを５枚のカードの手として評価し、かつ該少なくとも５枚のカードの少なくとも１つの下位の組み合わせを別個の手として評価するステップと
を包含する、方法。
【請求項１０】
前記方法は、コンピュータによって実装される、請求項９に記載の方法。
【請求項１１】
カードゲームプレイの方法であって、該カードゲームはプレイのルールを有し、該方法は、
プレイヤーによって置かれた賭け金を受け取るステップと、
少なくとも５枚のカードを該プレイヤーに提供するステップと、
該プレイヤーのオプションで追加の賭け金を受け取るステップと、
該プレイヤーによって選択された該プレイヤーの少なくとも５枚のカードの任意のカードを交換するステップと、
該プレイのルールに従って、該少なくとも５枚のカードを単一の５枚のカードの手として評価し、さらにカードの少なくとも１つの下位の組み合わせを個別の手として評価するステップであって、該少なくとも１つの下位の組み合わせは、該プレイヤーに提供された該少なくとも５枚のカードよりも少ないカードを有する、ステップと
を包含する、方法。
【請求項１２】
前記方法は、コンピュータによって実装される、請求項１１に記載の方法。
【請求項１３】
前記カードの少なくとも１つの下位の組み合わせは、３枚のカードを含む、請求項１１に記載の方法。
【請求項１４】
前記カードの少なくとも１つの下位の組み合わせは、４枚のカードを含む、請求項１１に記載の方法。
【請求項１５】
前記カードの少なくとも１つの下位の組み合わせは、３枚のカードの第１の下位の組み合わせおよび４枚のカードの第２の下位の組み合わせを含む、請求項１１に記載の方法。
【請求項１６】
前記カードの少なくとも１つの下位の組み合わせは、３枚のカードの第１の下位の組み合わせおよび３枚のカードの第２の下位の組み合わせを含む、請求項１１に記載の方法。
【請求項１７】
前記３枚のカードの第１の下位の組み合わせおよび前記３枚のカードの第２の下位の組み合わせは、該２つの組み合わせ間で１枚のカードのみを共有する、請求項１６に記載の方法。
【請求項１８】
前記カードの少なくとも１つの下位の組み合わせは、４枚のカードを有するカードの第１の下位の組み合わせおよび４枚のカードを有するカードの第２の下位の組み合わせを含む、請求項１１に記載の方法。
【請求項１９】
少なくとも１人のプレイヤーのための改変されたポーカーゲームをプレイする電子システムであって、該改変されたポーカーゲームは、プレイのルールを有し、該システムは、
少なくとも５枚のカードをプレイヤーに出力デバイス上に表示し、かつ該プレイのルールに従って、該少なくとも５枚のカードを５枚のカードの手として、さらに該少なくとも５枚のカードよりも少ないカードを有するカードの少なくとも１つの下位の組み合わせの手として評価するように構成されたコンピュータ
を備える、システム。
【請求項２０】
カードゲームをプレイする電子ゲームシステムであって、該カードゲームはプレイのルールを有し、該システムは、
プレイヤーによって置かれた賭け金を受け取り、その後少なくとも５枚のカードのプレイ面を該プレイヤーにディスプレイデバイス上に表示するように構成されたコンピュータと、
該プレイヤーのオプションで該プレイヤーの少なくとも５枚のカードから交換されるべき該プレイヤーによって選択されたカードを交換することと、
該コンピュータに接続された格納デバイスに格納された該プレイのルールに従って、該少なくとも５枚のカードを単一の５枚のカードの手として、さらに該プレイヤーに表示された該少なくとも５枚のカードよりも少ないカードの下位の組み合わせの手として評価することと
を包含する、システム。
【請求項２１】
前記コンピュータは、該下位の組み合わせの手を３枚のカードの手として評価するように構成される、請求項２０に記載のシステム。
【請求項２２】
前記コンピュータは、該下位の組み合わせの手を４枚のカードの手として評価するように構成される、請求項２０に記載のシステム。
【請求項２３】
前記コンピュータは、前記カードの少なくとも１つの下位の組み合わせを３枚のカードの第１の下位の組み合わせおよび４枚のカードの第２の下位の組み合わせとして構成される、請求項２０に記載のシステム。
【請求項２４】
前記コンピュータは、前記カードの少なくとも１つの下位の組見合わせの手を３枚のカードの第１の下位の組み合わせおよび３枚のカードの第２の下位の組み合わせとして評価するように構成される、請求項２０に記載のシステム。
【発明の詳細な説明】
【技術分野】
【０００１】
（発明の分野）
本発明は、カードゲームに関し、より詳細には、オリジナルの手が複数の手の混合として評価されるカードゲームをプレイするシステムおよび方法に関する。
【背景技術】
【０００２】
（関連技術の説明）
通常、ほとんどのカードゲームは、各プレイヤーにカードのオリジナルの手を分配することを含む。このオリジナルの手は、ゲームのルールに従って評価され、このゲームのルールにおいては、全てのカードが共に単一の手として考えられる。
【０００３】
例えば、標準的な５２枚のカードでプレイされる基本のポーカーゲームでは、各プレイヤーには５枚のカードが分配される。各プレイヤーの手にある全５枚のカードは、２ペア、３カード、ストレート等のカードの様々な組み合わせの存在に対して、単一の手として評価される。どの組み合わせが他の組み合わせに勝つかを判断することは、組み合わせのランキングを含む表を参照することによってなされる。ほとんどの表のランキングは、プレイヤーの手に生じる各組み合わせのオッズに基づく。プレイヤーの手にあるカードの数、カードに割り当てられた価値、およびオッズに関わらず、プレイヤーの手にある全５枚のカードを評価する方法は、同じである。
【０００４】
米国特許第５，８８２，２６０号において、改変されたポーカーカードゲームが開示される。ここでは、各プレイヤーは、手に５枚より多いカードを有する。各プレイヤーは、少なくとも２組の５枚のカードの手を構築し、この手は、プレイ表面に配置され、かつカードを交差させることによって結合して、あるパターンを定義する。この方法は、各プレイヤーに一度に少なくとも９枚のカードが分配される必要があるという不利な点を有する。全てのカードがあるパターンでプレイ表面に配置されるために、プレイ表面上の十分なスペースが、各プレイヤーに要求される。
【発明の開示】
【課題を解決するための手段】
【０００５】
（要旨）
本発明の開示される実施形態は、カードゲームプレイのシステムおよび方法を指す。カードゲームプレイの１つの方法に従って、５枚のカードがプレイヤーに配られる。５枚のカードは、５枚のカードの手として、さらにプレイのルールに従って５枚のカードよりも少ないカードの下位の組み合わせの手として評価される。例えば、５枚のカードドローポーカーのゲームでは、５枚のカードの手が、プレイヤーに分配され、その手は、５枚のカードの手として評価される。さらにその手は、プレイのルールに従って、３枚のカードの手、４枚のカードの手、または両方、あるいは２つの３枚のカードの手、または３つの３枚のカードの手のような、少なくとも５枚のカードの少なくとも下位の組み合わせの手として評価される。理想的には、電子ゲーム機、ポータブルハンドヘルドデバイス、スタンドアローンゲーム機、パーソナルコンピュータ、および商業的に入手可能であり、かつ当業者に公知である他のデバイスのように、カードゲームプレイの方法は、電子的に実施される。
【０００６】
本発明の別の局面に従って、カードゲームプレイの方法は、最初の５枚のカードの手をプレイヤーに分配するステップと、プレイヤーのオプションでプレイヤーによって捨てられた任意のカードを交換するステップと、手を５枚のカードの手として評価するステップと、さらにプレイのルールに従って、所定の３枚のカードおよび４枚のカードの下位の組み合わせを３枚のカードおよび４枚のカードの手としてそれぞれ評価するステップとを包含する。代わりに５枚のカードの手は、２つの３枚のカードの手、２つの４枚のカードの手、または３つの３枚のカードの手のいずれかとして評価され得る。さらに、以上の実施形態は、４枚のカードをプレイヤーに最初に分配するステップを含み得、この場合、手は、４枚のカードの手として、および１つ以上の３枚のカードの手として評価される。
【０００７】
カードゲームプレイの方法の別の実施形態によると、方法は、少なくとも５枚のカードを受け取るステップと、少なくとも５枚のカードを５枚のカードの手として評価するステップと、少なくとも５枚のカードよりも少ないカードを有する少なくとも５枚のカードの下位の組み合わせの手を評価するステップを包含する。この下位の組み合わせの手は、３枚のカードの手、４枚のカードの手、または２枚のカードの手および３枚のカードの手の組み合わせとして、あるいはまたは４つのカードの手に加えて、３つの３枚のカードの手、１つの３枚のカードの手として評価される。上述されたように、カードゲームプレイのこの方法は、コンピュータ上で実装され得る。
【０００８】
本発明のさらに別の実施形態によると、あるカードゲームプレイの方法が提供され、カードゲームプレイは、それに関連するプレイのルールを有する。この方法は、プレイヤーによって置かれた賭け金を受け取るステップと、プレイヤーに少なくとも５枚のカードを提供するステップと、プレイヤーのオプションで付加的な賭け金を受け取るステップと、プレイヤーの手からプレイヤーのオプションでプレイヤーによって選択されるカードを交換するステップと、少なくとも５枚のカードを単一の少なくとも５枚のカードの手として評価し、かつさらに少なくとも５枚のカード（例えば、４枚のカードまたは３枚のカード）より少ない下位の組み合わせの手として評価するステップを包含する。本発明のある実施形態では、少なくとも１つの下位の組み合わせの手は、２つの下位の組み合わせの手を含み、２つの下位の組み合わせのそれぞれが３枚のカードであり得るか、または２つの下位の組み合わせの一方が３枚のカードであり、かつ他方が４枚のカードであるか、あるいは、２つの下位の組み合わせのそれぞれが４枚のカードである。プレイヤーに最初に提供されるカードの数に依存して、他の下位の組み合わせもまた可能である。
【０００９】
本発明のあるシステムによって、プレイヤーに少なくとも５枚のカードを分配し、少なくとも５枚のカードを５枚のカードの手として、かつさらにコンピュータに関連する格納デバイス上に格納されたプレイのルールに従って、下位の組み合わせのカードの手（３枚のカードおよび４枚のカード）として評価するように構成されるコンピュータが提供される。理想的には、少なくとも５枚のカードがモニターのような表示デバイスにおけるプレイヤーに提供される。
【００１０】
以上から理解されるように、本発明の実施形態は、５枚のカードの手の範囲内およびそれに加えて、３枚のカードの手、４枚のカードの手、または両方のプレイを可能にすることによって、カードゲームプレイを拡張する。これは、プレイヤーがさらなる賭け金を置き、プレイヤーの勝利を大きくするための機会を大きくするだけでなく、ゲームのプロバイダの収入を増大させる機会を提供する。
【発明を実施するための最良の形態】
【００１１】
本発明の開示される実施形態の上述および他の特徴および利点は、付属の図面と関連する以下の詳細な説明から同じことがより良好に理解されるため、より容易に理解される。
【００１２】
（発明の詳細な説明）
本発明の開示される実施形態は、５枚のカードのドローポーカーゲームのプレイと関連して説明される。しかし、本発明のシステムおよび方法は、他のカードゲーム、より詳細には、２つ以上のカードの手を有するカードゲームに対して適用されることを理解されたい。２つ以上のカードの手を有するカードゲームでは、カードの下位の組み合わせが、全てのカードのオリジナルの手に加えて１つのカードの手として別個に評価され得る。
【００１３】
本発明のある実施形態では、５枚のカードドローポーカーに対する拡張が、提供される。この拡張は、カードのオリジナルの手の範囲内およびこれに加えて、カードの下位の組み合わせをプレイすることを可能にする。例えば、プレイヤーに５枚のカードが分配される。オリジナルの５枚のカードの手が評価され、さらに、３枚のカードの下位の組み合わせが、３枚のカードの手として別に評価され得、さらに、追加もしくは代わりとして、４枚のカードの下位の組み合わせが、４枚のカードの手として評価される。オリジナルの手と別の様々なカードの下位の組み合わせが共にプレイされ得る。例えば、オリジナルの５枚のカードの手に加えて、３枚のカードの手の下位の組み合わせおよび４枚のカードの手の下位の組み合わせがある。勝ち手は、３枚のカード、４枚のカード、および５枚のカードの組み合わせのそれぞれのランキングによって判断される。
【００１４】
理想的には、カードの下位の組み合わせは、有利なように判断される。例えば、図１に示されるように、オリジナルの５枚のカードの手１０には、３枚のカードの手１２ａ〜１２ｊの可能な１０通りの下位の組み合わせが存在し、３枚のカードの下位の組み合わせ１２ａ〜１２ｊは、オリジナルのカードのオフセットの影として示される。図２は、オリジナルの５枚のカードの手１６の範囲内で可能である、５つの可能な４枚のカードの下位の組み合わせの手１４ａ〜１４ｅを示す。図２に示されるように、オリジナルの５枚のカードの手は、個々の行として示され、４枚のカードの下位の組み合わせの手１４ａは、オリジナルの５枚のカードの手１６のオフセットの影として示される。
【００１５】
３枚のカードの下位の組み合わせの手および４枚のカードの下位の組み合わせの手が示されたが、オリジナルの５枚のカードの手は、２枚のカードの下位の組み合わせの手のように他の下位の組み合わせを有し得ることが理解されたい。６枚または７枚のような、オリジナルの手のカード数が多くなるにつれて、当業者には自明なように、下位の組み合わせの数は増加する。さらに、例えば、オリジナルの５枚のカードの手１０と同時に評価される第２の３枚のカードの下位の組み合わせの手１２ｊに加えて、第１の３枚のカードの下位の組み合わせの手１２ａを用いて、下位の組み合わせの様々な組み合わせがオリジナルの手と同時にプレイされ得る。
【００１６】
このように、５枚のカードドローポーカーのゲームをプレイする際に、本発明の方法は、５枚のカードのオリジナルの手を各プレイヤーに分配もしくは提供することを含む。ある実施形態では、各プレイヤーは、最初の５枚のカードの手を受け取る前に賭け金を置いてもよい。一旦各プレイヤーが少なくとも５枚のカードのオリジナルの手を受け取ると、プレイヤーは、プレイヤーのオプションで、オリジナルの少なくとも５枚のカードのいくつかまたは全てを捨て、かつ交換する。
【００１７】
この時点では、各プレイヤーは、追加の賭け金を置いてもよいし、それぞれのオリジナルの賭け金を継続してもよい。しかし、この追加の賭け金は、プレイヤーにアドバンテージを与えすぎる場合は、ゲームにおいて排除され得る。
【００１８】
プレイヤーの手は、５枚のカードのドローポーカーをプレイするルールとして周知である、２ペア、３カード、ストレート等の存在に対して評価される。ポーカーには多くのバリエーションが存在するので、５枚のカードのオリジナルの手は、プレイされるゲームのルールに従って評価される。オリジナルの５枚のカードの手を評価することに加えて、各プレイヤーは、既に判断され、かつルールに従った下位の組み合わせの手を評価する。勝ち手は、オリジナルの５枚のカードの手および下位の組み合わせの手のそれぞれのランキングによって判断される。例えば、オリジナルの５枚のカードの手は、下位の組み合わせ１２ａに示される手の最初の３枚のカードのような、３枚のカードの下位の組み合わせの手に加えて評価される。図２に示される４枚のカードの手１４ａのような、さらなる下位の組み合わせが含まれ得る。各手は、プレイのルールに従って評価され、ランク付けされる。
【００１９】
次に図３を参照すると、本発明のシステムに従って形成されるゲームをプレイする電子バージョンの方法の代表例が示される。この電子バージョンは、パーソナルコンピュータ、電子ゲーム機、ポータブルハンドヘルドデバイス、または容易に商業上入手可能であるか、もしくは当業者に公知である、他の電子デバイスにおいてプレイされ得る。
【００２０】
図３に示されるように、５枚のカード１８、２０、２２、２４、および２６は、最初にプレイヤーに表を下に向けて表示される。これらの５枚のカードの上には、３つのカラムがあり、頭に「３  ＣＡＲＤＳ  ＬＥＦＴ」と記された第１のカラム２８、頭に「３  ＣＡＲＤＳ  ＲＩＧＨＴ」と記された右のカラム３０がある。中央のカラム３２は、頭の記載を有しないが、左のカラム２８と右のカラム３０との間のその位置によって識別される。全ての３つのカラム２８、３０、３２は、５枚のカードのドローポーカーの通常の手におけるカードの様々な組み合わせと関連する支払いを表示する。本発明のこの実施形態では、中央のカラム３２の５枚のカードの組み合わせに対するベットへの支払いは、左右のカラム２８、３０よりもより可能性の高い組み合わせを含む。なぜなら、中央のカラム３２は、５枚のカードを評価し、かつ左右のカラム２８、３０は、３枚のカードのみを評価するからである。
【００２１】
各カラム２８、３０、３２は、さらに、頭に「１ｓｔ  ＢＥＴ」「２ｎｄ  ＢＥＴ」「３ｒｄ  ＢＥＴ」「４ｔｈ  ＢＥＴ」および「５ｔｈ  ＢＥＴ」と記された５つのさらなるカラムに分割される。各カラムは、クレジットの数がその特定のカードの組み合わせに対するベットであることを示す。カラムの下の特定の組み合わせと共にリストされる数は、その特定のカードの組み合わせが存在する際のクレジットの支払いを示す。例えば、「１ｓｔ  ＢＥＴ」の下の中央のカラム３２では、Ｒｏｙａｌ  Ｆｌｕｓｈが、１の賭け金のクレジットに対して２５０クレジット、２の賭けられたクレジットに対して５００クレジット、３の賭けられたクレジットに対して７５０クレジット、４の賭けられたクレジットに対しては１０００クレジット、５の賭けられたクレジットに対しては４０００クレジット支払う。
【００２２】
５つの表示されたカードの下には、それぞれ情報を表示し、かつプレイヤーによる選択を可能にするウィンドウおよびボタンがある。ディスプレイの下の右の部分の「ＣＲＥＤＩＴＳ」ウィンドウ３４において、賭けるために利用可能な合計クレジットが表示される。ディスプレイの下の中央の「ＢＥＴ」ウィンドウ３６には、賭けられた合計クレジットが表示される。現在の手に対して支払われた合計クレジットは、ディスプレイの下の左の「ＰＡＩＤ」ウィンドウ３８に表示される。
【００２３】
ボタンは、ＰＡＩＤウィンドウ３８の右の「ＥＸＩＴ」ボタン４０を含む。この電子バージョンのシステムでは、このボタンをクリックするとゲームを終了する。「ＢＥＴ１」ボタン４２は、ＥＸＩＴボタン４０の右隣に配置される。このボタンをクリックすると、以下により詳細が示されるように、１のクレジットが賭けられる。ＢＥＴウィンドウの右に、「ＢＥＴ  ＭＡＸ」ボタン４４があり、「ＢＥＴ  ＭＡＸ」ボタン４４は、クリックされると、３つのカラム２８、３０、３２のそれぞれのクレジットの最大数が賭けられる。この実施形態では、最大数は、各カラム２８、３０、３２に対して５のクレジットである。
【００２４】
ＢＥＴ  ＭＡＸボタン４４とＣＲＥＤＩＴＳウィンドウ３４の間にはマルチ機能ボタン４６が配置される。図３に示されるように、このボタンは、「ＨＥＬＰ」とラベル付けされ、クリックされると、ゲームプレイに関してプレイヤーにメッセージを表示する。このメッセージは、プレイのルールの一般的な表示であってもよいし、またはプレイヤーのオプションを説明するような、ゲーム表示の現在の条件に特定の状況であってもよい。図４に示されるように、このマルチ機能ボタン４６は、「ＤＥＡＬ」とラベル付けされ、プレイヤーによってクリックされると、最初の５枚のカードをプレイヤーに分配または表示する。図５において、マルチ機能ボタンは、「ＤＲＡＷ」とラベル付けされ、クリックされると、本明細書中において以下により詳細に説明されるように、プレイヤーによって保持されないカードを交換する。
【００２５】
ゲームプレイを開始するために、プレイヤーは、ＢＥＴ１ボタン４０またはＢＥＴ  ＭＡＸボタン４４を選択して、１つ以上のクレジットの賭け金を配置する。好ましくは、プレイヤーは、従来の態様のマウスデバイス（示されない）を用いてボタンを選択する。図４を参照すると、ＢＥＴ１ボタン４０がクリックされており、中央のカラム３２の１ｓｔＢＥＴカラム４８が、ハイライトされている。さらに、賭けられたクレジットの数が、ＢＥＴウィンドウ３６に「１」と示される。左または右の３枚のカードカラム２８、３０には、賭けがなされていない。
【００２６】
プレイヤーは、ＢＥＴ１ボタン４０を再度選択し、ＢＥＴ１ボタン４０を押下またはクリックして、クレジットの追加の賭け金を置き、望まれれば、現在「ＤＥＡＬ」とラベル付けされたマルチ機能ボタン４６をクリックすることによってカードを分配する。ゲームプレイのこの例では、「ＤＥＡＬ」ボタン４６は、クリックされた後、１クレジットで賭け金を止め、図５に示されるように、５枚のカードのプレイ面を表示する。カードが表示されると、「ＨＯＬＤ」ボタン５０は、各カードのしたに現れる。この時点で、プレイヤーは、所望のカードの下のＨＯＬＤボタン５０をクリックすることによって、５枚のオリジナルカードの１つ以上を保持することを選択し得る。
【００２７】
図５に示される例では、３枚の左のカード、３、７、および５は全てスペードであり、「ｆｌｕｓｈ（フラッシュ）」になる。このことは、左の３枚のカードに対して、左のカラム２８における「ＦＬＵＳＨ」の組み合わせ５２をハイライトすることによって、プレイヤーの注意に向けられる。しかし、３枚の左のカードに賭けがなされていなかった。この時点で、プレイヤーは、左の３枚のカードあるいは左の３枚および右の３枚のカードを含むように、賭け金の変更の選択を有する。ＢＥＴ１ボタン４０およびＢＥＴ  ＭＡＸボタン４４はたとえもはやハイライトされていなくとも、これらのボタンは、賭け金を増やすために選択またはクリックされてもよい。
【００２８】
この実施形態において、左のカラム２８は、最大の賭け金が中央のカラム３２に置かれるまで賭け金をアクセプトせず、かつ右のカラム３０は、中央のカラム３２および左のカラム２８が最大賭け金を内部に置くまで賭け金をアクセプトしないことを理解されたい。
賭け金を置くことを制御する他の方法が、本発明の意図および範囲から逸脱することなく利用され得る。例えば、ＢＥＴ１ボタンは、第１のクレジットは中央のカラム３２、第２のクレジットは左のカラム、かつ第３のクレジットは右のカラム３０に賭けられるように構成され得る。もしくは、賭け金は、マウスを介してポイントおよびクリックによって、プレイヤーによって完全に制御され得る。
【００２９】
しかし、この例では、賭け金は変更されない。変わりに、図６に示されるように、保持されることが選択されたカードに関連する「ＨＯＬＤ」ボタン５０をクリックすることによって、真ん中の３枚のカードが保持される。マーキング「ＨＥＬＤ」５４が、保持されることがプレイヤーによって選択された各カードの下の部分に現れる。その後、プレイヤーは、「ＤＲＡＷ」ボタン４６をクリックして、保持されないカードを交換する。
【００３０】
ＤＲＡＷボタン４６がクリックされる場合、図７に示されるように、保持されないカードが交換される。最終的な手は、１の賭け金のみが中央のカラム３２に置かれるのみであるので、５枚のカードの手として評価される。中央のカラム３２にリストされる組み合わせが発生しなかったので、空のＰＡＩＤウィンドウ３８によって示されるように、クレジットはプレイヤーに支払われない。この時点で、マルチ機能ボタン４６は、「ＨＥＬＰ」を読めるように変更され、ＢＥＴ１ボタン４２およびＢＥＴ  ＭＡＸボタン４４は、ＨＥＬＰボタン４６と共にハイライトされ、賭け金を次の手のために置き得ることを示す。
【００３１】
次に図８を参照して、本明細書中に示されるように、中央のカラム３２においてハイライトされた４ｔｈＢＥＴカラム５４によって示されるように、４のクレジットが賭けられた。ＢＥＴ１ボタン４２をさらにクリックすると、５ｔｈＢＥＴカラムがハイライトされて、図９に示されるように、中央のカラム３２に対して最大の賭け金を示し、さらにクリックすると、第１のカラム２８における１ｓｔＢＥＴカラム５８の下に登録される１のクレジット賭け金を示す。ＢＥＴウィンドウ３６で確認されるように、合計６のクレジットの賭け金が作られた。ＤＥＡＬボタン４６をクリックすると、図１０に示されるように、５枚のカードが表示される。
【００３２】
この時点で、左の３つのカードにクイーンのペアが存在することは、「Ｊａｃｋ  ｏｒ  Ｂｅｔｔｅｒ」の組み合わせがハイライトされる。さらに、この同じ組み合わせは、オリジナルの５枚の手に対して中央のカラム３２にハイライトされる。２枚のクイーンおよび一枚のジャックは、それぞれのＨＯＬＤボタン５０をクリックすることによって保持することが選択される。ＨＯＬＤボタン５０がクリックされる場合、ＨＯＬＤボタン５０は、そのテキストを「ＣＡＮＣＥＬ」と読めるように変更する。ＣＡＮＣＥＬボタン５０をクリックすると、保持状態からカードを解放することに選択を戻して切り替え、「Ｈｏｌｄ」と読めるようにボタンテキストを変更する。
【００３３】
ＤＲＡＷボタン４６をクリックすると、保持されないカード（この場合、ダイヤモンドの６およびスペードの５）がクラブの６およびハートの３と交換される。これは、支払いを改良しないが、このゲームは、図１１に示されるように、プレイヤーにクレジットを与えるように構成される。与えられたクレジットは、ＰＡＩＤウィンドウ３８に６として示され、これは、中央のカラム３２から支払われた５のクレジットおよび左のカラム２８から支払われた１のクレジットに対応する。
【００３４】
図１２は、ＢＥＴ  ＭＡＸボタンがクリックされる場合のゲームディスプレイを示す。５ｔｈＢＥＴカラム５６、６０、および６２は、中央のカラム３２、左のカラム２８、および右のカラム６２においてそれぞれ同時にハイライトされる。ＢＥＴウィンドウ３６は、賭けられた１５のクレジットの合計を示す。このシステムは、最大のベットが置かれているので、さらなるボタン選択なしに５枚のカードの手を自動的に表示するように構成される。図１３に示されるように、３枚のクイーンが保持することを選択された。なぜなら、３枚のクイーンは、中央のカラム３２における「ｔｈｒｅｅ  ｏｆ  ａ  Ｋｉｎｄ」であり、かつ右のカラム３０における「Ｊａｃｋ  ｏｒ  Ｂｅｔｔｅｒ」であるからである。
【００３５】
ＤＲＡＷボタン４６をクリックすると、保持されないカード（ハートの３およびスペードのエース）がハートのキングおよびスペードのジャックと交換される。左のカラム２８の３枚の左カードにおいてジャック、クイーン、キングのストレート（ＳＴＲＡＩＧＨＴ）が生じ、２０のクレジットが支払われる。中央のカラム３２の「Ｔｈｒｅｅ  ｏｆ  ａ  Ｋｉｎｄ」は１５のクレジットを支払い、右のカラムの３０のクイーンのペアは５のクレジットを支払う。４０のクレジットの合計は、ＰＡＩＤウィンドウ３８に示される。
【００３６】
図１５〜１７は、最初の５枚のカードの手が表示された後に賭け金が増加した場合のプレイのシーケンスを示す。図１５において、１のクレジット賭け金が、中央のカラム３２に示される。オリジナルの５枚のカードの手は、スペードのエース、スペードの９、ダイヤモンドのエース、スペードの４、およびダイヤモンドの３であり、左のカラム２８および中央のカラム３２において「Ｊａｃｋ  ｏｒ  Ｂｅｔｔｅｒ」となる。ＢＥＴ１ボタン４２を９回クリックすると、中央のカラム３２に示されるように、５枚のカードの手に対してなされ得る最大賭け金の５のクレジット、および左のカラム２８でなされ得る最大賭け数の５のクレジットを生じさせる。
【００３７】
エースのペアは、その後保持することが選択され、ＤＲＡＷボタン４６をクリックして図１６に示される他の３つの保持されないカードを交換する。３枚のカードは、ダイヤモンドの９、スペードの１０、およびスペードの３に交換される。これは、オリジナルのエースのペア以上の組み合わせをもたらさず、図１７のＰＡＩＤウィンドウ３８に示されるように、１０のクレジットの支払いをもたらす。
【００３８】
本発明の上述のシステムおよび方法は、１つの好ましい実施形態として電子ゲーム機の意味で開示されたが、このゲームはまた、テーブルゲームとして実施され得る。テーブルの周りに座った複数のプレイヤーは、表を下にしたカードを分配され、プレイは、電子バージョンの図３〜１７に関連して上述されるように進む。単一のトランプ（ｄｅｃｋ）ではカード数が制限され、かつプレイヤーがオリジナルの５枚のカードを捨て、５枚の交換カードを受け取り得る可能性のために、プレイヤーの数は、必ず５人以下に制限されなければならない。
【００３９】
以上から、本発明の特定の実施形態が本明細書中に例示の目的で説明されたが、本発明の意図および範囲を逸脱することなく様々な改変がなされ得ることが理解される。例えば、テキストのメッセージは、ゲームを通してプレイヤーに表示され得る。これは、メッセージ「ＢＥＴ  ＭＡＸ−ＰＬＡＹ  ＡＬＬ  ３  ＨＡＮＤＳ（ＢＥＴ  ＭＡＸで、全ての３つの手をプレイできます）」が現れる図３において見られ得る。図５ではメッセージ「ＨＯＬＤ  ＡＮＤ  ＤＲＡＷ  ＣＡＲＤＳ（カードを保持してドローしてください）」が現れ、これらのオプションでプレイヤーにアドバイスする。従って、本発明は、添付の特許請求の範囲およびそれと等価なものによって以外制限されない。
【図面の簡単な説明】
【００４０】
【図１】図１は、本発明による、５枚のカードの手のうちの３枚のカードの可能な下位の組み合わせを示す。
【図２】図２は、５枚のカードの手のうちの４枚のカードの可能な下位の組み合わせを示す。
【図３】図３は、本発明による、カードゲームをプレイする方法を順番に示す電子スクリーンディスプレイを示す。
【図４】図４は、本発明による、カードゲームをプレイする方法を順番に示す電子スクリーンディスプレイを示す。
【図５】図５は、本発明による、カードゲームをプレイする方法を順番に示す電子スクリーンディスプレイを示す。
【図６】図６は、本発明による、カードゲームをプレイする方法を順番に示す電子スクリーンディスプレイを示す。
【図７】図７は、本発明による、カードゲームをプレイする方法を順番に示す電子スクリーンディスプレイを示す。
【図８】図８は、本発明による、カードゲームをプレイする方法を順番に示す電子スクリーンディスプレイを示す。
【図９】図９は、本発明による、カードゲームをプレイする方法を順番に示す電子スクリーンディスプレイを示す。
【図１０】図１０は、本発明による、カードゲームをプレイする方法を順番に示す電子スクリーンディスプレイを示す。
【図１１】図１１は、本発明による、カードゲームをプレイする方法を順番に示す電子スクリーンディスプレイを示す。
【図１２】図１２は、本発明による、カードゲームをプレイする方法を順番に示す電子スクリーンディスプレイを示す。
【図１３】図１３は、本発明による、カードゲームをプレイする方法を順番に示す電子スクリーンディスプレイを示す。
【図１４】図１４は、本発明による、カードゲームをプレイする方法を順番に示す電子スクリーンディスプレイを示す。
【図１５】図１５は、本発明による、カードゲームをプレイする方法を順番に示す電子スクリーンディスプレイを示す。
【図１６】図１６は、本発明による、カードゲームをプレイする方法を順番に示す電子スクリーンディスプレイを示す。
【図１７】図１７は、本発明による、カードゲームをプレイする方法を順番に示す電子スクリーンディスプレイを示す。
【国際公開パンフレット】
2005501620.tif 000003
2005501620.tif 000004
2005501620.tif 000005
2005501620.tif 000006
2005501620.tif 000007
2005501620.tif 000008
2005501620.tif 000009
2005501620.tif 000010
2005501620.tif 000011
2005501620.tif 000012
2005501620.tif 000013
2005501620.tif 000014
2005501620.tif 000015
2005501620.tif 000016
2005501620.tif 000017
2005501620.tif 000018
2005501620.tif 000019
2005501620.tif 000020
2005501620.tif 000021
2005501620.tif 000022
2005501620.tif 000023
2005501620.tif 000024
2005501620.tif 000025
2005501620.tif 000026
2005501620.tif 000027
2005501620.tif 000028
2005501620.tif 000029
2005501620.tif 000030
2005501620.tif 000031
2005501620.tif 000032
2005501620.tif 000033
2005501620.tif 000034
【国際調査報告】
2005501620.tif 000035